(57)【要約】【課題】花の姿勢を上向きにする矯正を容易かつ安価に行う。【解決手段】自然栽培では開花の向きが下向きとなる植物の栽培方法であって、前記植物が蕾３を付けるまで生長した際に、その蕾３のある部分の外周全体をシート状の部材４で覆うとともに、そのシート状の部材４の内面に、蕾３の先端部を上向きにして接触させ、前記蕾３の生長に従って前記蕾３の向きを前記シート状の部材４の内面に沿って上向きに誘導することを特徴とする垂下性植物の栽培方法。【選択図】図１
2009124963.tif 000002
【特許請求の範囲】
【請求項１】
自然栽培では開花の向きが下向きとなる植物の栽培方法であって、前記植物が蕾を付けるまで生長した際に、その蕾のある部分の外周全体をシート状の部材で覆ってそのシート状の部材の内面に蕾の先端部を上向きにして接触させ、前記蕾の生長に従って前記蕾の向きを前記シート状の部材の内面に沿って上向きに誘導することを特徴とする垂下性植物の栽培方法。
【発明の詳細な説明】
【技術分野】
【０００１】
この発明は、ユリ科あるいはラン科の植物など、花が下向きに咲く属性のある植物の栽培方法に関し、特に開花の向きが水平もしくは上向きになるように栽培する方法に関するものである。
【背景技術】
【０００２】
カサブランカなどのユリ科の特定の種類の植物やラン科の特定の種類の植物は、蕾が生長するのに従って蕾が次第に下向きになり、開花の向きも垂直に立っている茎に対して斜め下方向になる。これは、その植物が本来備えている属性であるから、その開花の姿勢をそのまま受け入れ、装飾や生け花などに使用されている。しかしながら、カサブランカなどはかなり大輪であり、しかも艶やかな容姿をなしているので、その装飾性を更に生かすために、開花の向きが水平以上に上向きなるように栽培することが試みられている。
【０００３】
その一例として、花茎を上向き姿勢に矯正するための支持装置が開発され、特許文献１に記載されている。この特許文献１に記載された装置は、針金などの線条体の中間部をコイル状に巻いて弾性屈曲部とし、その一方の端部に、栽培植物の花茎部分を吊支するための索条などを取り付ける係止部を設けるとともに、他端部を支柱パイプに固定するように構成されている。
【０００４】
【特許文献１】特開２０００−１３９２３６号公報
【発明の開示】
【発明が解決しようとする課題】
【０００５】
上記の特許文献１に記載された支持装置は、環状に結んだひもなどの索条を係止部に掛け、その索条を花茎の先端部分すなわち蕾の根元部分に掛け、その状態で支柱パイプに他端部を差し込んだ場合に、弾性屈曲部が曲がり、その弾性力によって蕾を引き上げるように構成されている。したがって、支持装置による引き上げ荷重は、花茎の先端部に作用するものの、蕾を花茎の延長方向すなわち上向きにする荷重は蕾に作用することがない。そのため、蕾は花茎に対して下向きとなりやすく、開花した場合の花の向きを上向きとすることは困難であり、あるいは開花の向きを必ずしも十分には上向きにできない可能性が高い。
【０００６】
また、特許文献１に記載された支持装置は、弾性屈曲部の弾性力により、花の生長に従って索条を次第に引き上げるようになっており、そのため一つずつの花に一つの支持装置が必要である。すなわち、従来の支持装置は、花の数だけ用意する必要があり、かつ一つずつの花に個別に支持装置を取り付ける必要があるので、花の数が多いほど必要経費が嵩み、また作業が増大する不都合がある。
【０００７】
この発明は上記の技術的課題に着目してなされたものであり、経費や作業工数を特には増大させることなく開花向きが上向きとなるように栽培することのできる方法を提供することを目的とするものである。
【課題を解決するための手段】
【０００８】
上記の目的を達成するために、この発明は、自然栽培では開花の向きが下向きとなる植物の栽培方法であって、前記植物が蕾を付けるまで生長した際に、その蕾のある部分の外周全体をシート状の部材で覆ってそのシート状の部材の内面に蕾の先端部を上向きにして接触させ、前記蕾の生長に従って前記蕾の向きを前記シート状の部材の内面に沿って上向きに誘導することを特徴とする方法である。
【発明の効果】
【０００９】
この発明の方法によれば、蕾の生長と共に花茎が伸びるが、外側への伸長はシート状の部材によって規制され、蕾および花茎はそのシート状の部材の内面に沿って上方向に誘導される。蕾および花茎は、成長過程でこのような矯正作用を受けるので、開花近くまで生長した蕾や花茎の大多数は、水平方向もしくは上方向を向いており、したがって花瓶や鉢などで咲かせた花は水平あるいはそれより上向きに開花する。
【発明を実施するための最良の形態】
【００１０】
この発明の栽培方法で対象とする植物は、特に矯正を行わない自然栽培した場合に花が下向きになるいわゆる垂下性の植物である。具体的にはユリ科やラン科などの植物であり、特にユリ科の植物に好適に適用することができる。この種の植物を栽培すると、生長に伴って花茎が枝分かれ、その花茎に蕾が付くようになる。これに先行して葉が延びているので、蕾が付き始めた当初は、葉の先端より茎側に蕾が隠れた状態になっているが、蕾の生長に従って花茎が伸びるので、蕾が葉の先端側に出てくる。この発明の方法では、その状態の植物に、蕾のある部分の外周側を覆うようにシート状の矯正部材を被せる。これは、蕾や花茎の向きを上向きに矯正するための作業であり、したがってシート状の矯正部材の内面に、蕾の先端を上向きとなるように接触させる。そのためには、葉の先端をも撓ませることになるので、葉の撓みが特には大きくならない程度に蕾や花茎が生長した段階で前記矯正部材を被せることが好ましい。
【００１１】
シート状の矯正部材は、複数の蕾がある場合にこれらを一括して矯正するものが好ましく、したがって蕾が付いている箇所の全体を覆う高さ（幅）のあるものを使用する。この矯正部材は、栽培植物の外周側を覆うものであるから、使用状態では筒状をなす。したがって、図２の（ａ）に示すように、下側の開口系が１２ｃｍ程度、上側の開口系が２０ｃｍ程度、高さが３０ｃｍ程度のロート状の矯正部材４ａや、図２の（ｂ）に示すように予め筒状に形成した矯正部材４ｂ、さらには図２の（ｃ）に示すように栽培植物に巻き付けて筒状になるように構成した矯正部材４ｃであってもよい。また、その矯正部材は、透明な合成樹脂フィルムからなるものが好ましいが、これに限らず、不透明なフィルムや紙からなるもの、合成繊維や天然繊維を編んだ布状のもの、紐や縄などをシート状に編んだもの、あるいはネット状のものなどであってもよい。なお、蕾の先端が尖っているなどの場合には、ネット状のものよりもシート状もしくは布状のものがよい。特にフラワーキャップと称される通気性のある素材からなるロート状のものが好ましい。
【００１２】
上記の矯正部材を取り付けた状態で栽培を継続すると、蕾および花茎の生長に伴って、これらが矯正部材の内面に沿って上向きに誘導される。すなわち上向きに矯正される。こうした矯正状態を、栽培植物を切り取って出荷する直前もしくはその後に店頭に陳列するまで継続する。その結果、蕾や花茎の生長方向が上向きになるために、前記の矯正部材を取り去った後であっても、大半の蕾が上向き姿勢もしくは上向きに近い姿勢になり、開花した大半の花の向きが水平あるいはこれより上向きになる。
【００１３】
上記の栽培の過程を模式図で示すと図１のとおりである。芽吹いた直後は僅かな茎に葉１が出ている状態であり、その後に、葉１の間に花茎２および蕾３が延びてくる。図１の（ａ）に示すこの状態では、葉１が相対的に大きく広がっており、蕾３は葉１に隠れた状態になっているので、葉１などを痛めない程度にシート状の矯正部材４を被せて蕾３や花茎２の矯正を行うとしても、蕾３が矯正部材４に接触しないので、その姿勢の矯正を行えない。そこで、図１の（ｂ）に示すように蕾３が葉１の先端近くまで延びてくるのを待ち、この時期に、図１の（ｃ）に示すようにシート状の矯正部材４で蕾３のある箇所の外周を覆い、蕾３の先端部を矯正部材４の内面に接触させて上向きに姿勢を矯正する。
【００１４】
その矯正部材４は筒状であれば、栽培植物の上から被せることになるが、図２の（ｃ）に示すように、一枚のシートであれば、外周側に幾分縛り付けるように巻き付け、そのシートの両端部をテープなどのファスナーで止める。その場合、葉１を縛り付けて内周側に撓ませることになるが、蕾３が既に葉１の先端付近に延びるまで生長しているので、蕾３や花茎２の姿勢を上記のように矯正する程度に縛り付けても葉１の撓みが特に大きくなることはなく、その生長や形態に支障を来すことはない。言い換えれば、葉１や栽培植物の生長や形態に支障が生じない時期に到った際に矯正部材４による矯正を行う。
【００１５】
この状態を出荷の直前もしくはその後まで継続すると、矯正部材４を取り外した後であっても蕾３の大半が上向きもしくは水平に近い状態を維持し、図１の（ｄ）に示すように花５が上向きもしくは水平に近い向きに開花する。
【００１６】
したがって、この発明による栽培方法によれば、一つの株に付いている複数の蕾３を一括して縛り付けることにより、その株の蕾３や花茎２の全体を矯正できるので、矯正のための作業は蕾３ごとではなく株ごとになり、作業数を大幅に少なくすることができる。また、株の全体を覆っているので、生長に伴って再調整する必要が特にはなく、この点でも必要な作業が少なくなって効率のよい栽培方法とすることができる。さらに、矯正部材４は蕾の数ではなく、株の数だけ用意すればよいので、必要数を大幅に少なくし、経費の低廉化を図ることができる。
【図面の簡単な説明】
【００１７】
【図１】この発明による方法での栽培過程を模式的に示す図である。
【図２】矯正部材として使用されるシートの模式図である。
【符号の説明】
【００１８】
１…葉、  ２…花茎、  ３…蕾、  ４…矯正部材、  ５…花。
【図１】
2009124963.tif 000003
【図２】
2009124963.tif 000004